(57)【要約】 ドラム式洗濯機が、外箱（１０）と、外箱（１０）の内部に配置された水槽と、水槽の内部に配置されたドラムと、ドラムを駆動する駆動部とを備える。外箱（１０）が、外箱本体（７０）と、外箱本体（７０）を補強する補強部（８０）と、ベース（９０）とを有し、補強部（８０）が、第１開口部（１３）の第１辺部に沿って延びる第１補強部材（８１）と、第１辺部の延在方向の一端部側に隣接する第２辺部に沿って延びて第１補強部材（８１）の延在方向の一端部に接続された第２補強部材（８２）と、第１辺部の延在方向の他端部側に隣接する第３辺部に沿って延びて第１補強部材（８１）の延在方向の他端部に接続された第３補強部材（８３）とを有する。
2019043971.tif 000002
【特許請求の範囲】
【請求項１】
洗濯物投入口が設けられた開口面を有する外箱と、
上記外箱の内部に配置されて、上記外箱に揺動可能に支持された水槽と、
上記水槽の内部に設けられかつ上記開口面に対して交差する方向に延びる回転軸周りに回転可能に配置されていると共に、上記洗濯物投入口を介して内部に洗濯物を収容するドラムと、
上記ドラムを駆動する駆動部と
を備え、
上記外箱が、
鉛直方向の両端にそれぞれ第１開口部および第２開口部を有し、上記第１開口部が鉛直方向から見て多角形状を有する外箱本体と、
上記外箱本体の第１開口部側の端部に設けられて、上記外箱本体を補強する補強部と、
上記外箱本体の第２開口部側の端部に設けられたベースと
を有し、
上記補強部が、
上記第１開口部の一辺部を構成する第１辺部に沿って延びる第１補強部材と、
上記第１辺部の延在方向の一端部側に隣接する第２辺部に沿って延びて上記第１補強部材の延在方向の一端部に接続された第２補強部材と、
上記第１辺部の延在方向の他端部側に隣接する第３辺部に沿って延びて上記第１補強部材の延在方向の他端部に接続された第３補強部材と
を有する、ドラム式洗濯機。
【請求項２】
請求項１のドラム式洗濯機において、
上記補強部が、上記第１開口部の各辺部に沿った枠形状を有する、ドラム式洗濯機。
【請求項３】
請求項１または２のドラム式洗濯機において、
上記補強部が、上記第１補強部材、上記第２補強部材および上記第３補強部材のいずれか２つを接続する補強梁部材を有する、ドラム式洗濯機。
【請求項４】
請求項３のドラム式洗濯機において、
上記補強梁部材と上記水槽とに接続された吊りばねをさらに備え、
上記補強梁部材が上記吊りばねを介して上記水槽を支持している、ドラム式洗濯機。
【請求項５】
請求項１から４のいずれか１つのドラム式洗濯機において、
上記補強部が、樹脂で構成されている、ドラム式洗濯機。
【請求項６】
請求項１から５のいずれか１つのドラム式洗濯機において、
上記駆動部を制御する制御装置と、
上記制御装置を収容する基板ケースと
をさらに備え、
上記補強部の上記第１補強部材および上記第２補強部材で構成された角部に、上記基板ケースが配置されている、ドラム式洗濯機。
【請求項７】
請求項２のドラム式洗濯機において、
洗剤を投入可能な洗剤ケースを有し、上記水槽に上記洗剤ケースを介して給水可能な給水装置と、
上記ドラムの内部の空気を上記ドラムの内部から上記ドラムの外部を通って上記ドラムの内部に戻るように循環させる循環経路と、
上記循環経路を流れる空気を加熱する加熱装置と、
上記循環経路に設けられて上記循環経路に空気の流れを形成する循環ファンと、
上記循環経路に設けられたフィルタケースと、
上記駆動部、上記給水装置、上記加熱装置および上記循環ファンを制御する制御装置と、
上記制御装置を収容する基板ケースと、
上記補強部と上記水槽とに接続された吊りばねと
をさらに備え、
上記第１開口部が四角形状であり、
上記補強部が、
上記第１補強部材と、
相互に対向する上記第２補強部材および上記第３補強部材と、
上記第１辺部に対向する第４辺部に沿って延びると共に両端部が上記第２補強部材および上記第３補強部材に接続された第４補強部材と、
上記第１補強部材と上記第４補強部材とに接続された第１補強梁部材と、
上記第１補強梁部材と上記第２補強部材とに接続された第２補強梁部材と
で構成され、
上記第１補強部材、上記第２補強部材、上記第１補強梁部材および上記第２補強梁部材で囲まれた第１領域に上記基板ケースが配置され、
上記第１補強部材、上記第３補強部材、上記第４補強部材および上記第１補強梁部材で囲まれた第２領域に上記洗剤ケースが配置され、
上記第２補強部材、上記第４補強部材、上記第１補強梁部材および上記第２補強梁部材で囲まれた第３領域に上記フィルタケースが配置されており、
上記第２補強梁部材の第１補強梁部材側の端部に上記吊りばねの一端が接続され、上記水槽に上記吊りばねの他端が接続されて、上記第２補強梁部材が上記吊りばねを介して上記水槽を支持している、ドラム式洗濯機。
【請求項８】
請求項１から７のいずれか１つのドラム式洗濯機において、
上記外箱が、上記外箱本体と上記ベースとを接続する接続部材を有する、ドラム式洗濯機。
【発明の詳細な説明】
【援用記載】
【０００１】
本出願は、２０１７年９月１日に出願された日本出願の特願２０１７−１６８９１４に対して優先権の利益を主張するものであり、その日本出願に記載された全ての記載内容を援用するものである。
【技術分野】
【０００２】
この発明は、洗濯機に関する。
【背景技術】
【０００３】
特許文献１には、開口部が設けられた直方体状の外箱と、外箱の内部に設けられた外槽と、外槽のない部に収容された回転ドラムと、回転ドラムを駆動するモータとを備えるドラム式洗濯機が開示されている。このドラム式洗濯機では、外箱は、開口部が設けられた面を前面とした場合の左右の側面を構成する一対の側板と、一対の側板に接続されて外箱の前後の側面を構成する一対の前後補強材と、外箱の上部で一対の側板に接続された上補強材とで構成されている。
【先行技術文献】
【特許文献】
【０００４】
【特許文献１】特許５９９０８５８号公報
【発明の概要】
【発明が解決しようとする課題】
【０００５】
上記ドラム式洗濯機では、一対の側板および一対の前後補強材が鋼板で構成されているため、一対の側板および一対の前後補強材の反りおよびねじれ等により外箱がねじれ易い。このため、外箱の上部で一対の側板に接続された上補強材により外箱の強度を高めて、外箱の歪みを防止している。【０００６】
しかし、上記ドラム式洗濯機では、外箱の前後方向については補強されておらず、外箱の歪みを防止できない場合がある。【０００７】
そこで、本発明の課題は、外箱の歪みを防止できる洗濯機を提供することにある。
【課題を解決するための手段】
【０００８】
本発明の一態様のドラム式洗濯機は、
洗濯物投入口が設けられた開口面を有する外箱と、
上記外箱の内部に配置されて、上記外箱に揺動可能に支持された水槽と、
上記水槽の内部に設けられかつ上記開口面に対して交差する方向に延びる回転軸周りに回転可能に配置されていると共に、上記洗濯物投入口を介して内部に洗濯物を収容するドラムと、
上記ドラムを駆動する駆動部と
を備え、
上記外箱が、
鉛直方向の両端にそれぞれ第１開口部および第２開口部を有し、上記第１開口部が鉛直方向に交差する方向から見て多角形状を有する外箱本体と、
上記外箱本体の第１開口部側の端部に設けられて、上記外箱本体を補強する補強部と、
上記外箱本体の第２開口部側の端部に設けられたベースと
を有し、
上記補強部が、
上記第１開口部の一辺部を構成する第１辺部に沿って延びる第１補強部材と、
上記第１辺部の延在方向の一端部側に隣接する第２辺部に沿って延びて上記第１補強部材の延在方向の一端部に接続された第２補強部材と、
上記第１辺部の延在方向の他端部側に隣接する第３辺部に沿って延びて上記第１補強部材の延在方向の他端部に接続された第３補強部材と
を有する。
【発明の効果】
【０００９】
前記態様のドラム式洗濯機によれば、外箱が、外箱本体の第１開口部側の端部に設けられて外箱本体を補強する補強部を有し、補強部が、第１開口部の一辺部を構成する第１辺部に沿って延びる第１補強部材と、第１辺部の一端側に隣接する第２辺部に沿って延びて第１補強部材の延在方向の一端部に接続された第２補強部材と、第１辺部の他端側に隣接する第３辺部に沿って延びて第１補強部材の延在方向の他端部に接続された第３補強部材とを有している。この補強部により、外箱の歪みを防止できるドラム式洗濯機を実現できる。
【図面の簡単な説明】
【００１０】
【図１】本発明の第１実施形態のドラム式洗濯機の斜視図。
【図２】図１のII-II線に沿った断面模式図。
【図３】図１のドラム式洗濯機の外箱の斜視図。
【図４】図１のドラム式洗濯機の補強部の平面図。
【図５】図１のドラム式洗濯機のブロック図。
【発明を実施するための形態】
【００１１】
以下、本発明の一実施形態を添付図面に従って説明する。なお、以下の説明では、必要に応じて特定の方向あるいは位置を示す用語（例えば、「上」、「下」、「左」、「右」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１２】
（第１実施形態）
本発明の第１実施形態のドラム式洗濯機１は、図１に示すように、外箱１０を備えている。この外箱１０は、図２に示すように、洗濯物投入口１２が設けられた開口面１１を有している。外箱１０の開口面１１側には、洗濯物投入口１２を開閉可能なドア１５が設けられている。このドア１５には、操作表示部１６が設けられている。
【００１３】
外箱１０の内部には、図２に示すように、外箱１０に揺動可能に支持された水槽２０と、水槽２０の内部に設けられたドラム３０と、ドラム３０を駆動する駆動部の一例のメインモータ３２とが設けられている。水槽２０は、図２に示すように、吊りばね２１（この実施形態では２本）を介して外箱１０に支持されている。また、ドラム３０は、図２に示すように、外箱１０の開口面１１に対して交差する方向に延びる回転軸３１周りに回転可能に配置されている。ドラム３０の内部は、洗濯物投入口１２を介して洗濯物３３を収容可能になっている。
【００１４】
外箱１０は、図３に示すように、ドラム３０の回転軸３１の延在方向に交差する方向（この実施形態では、鉛直方向（すなわち、図３の上下方向））の両端にそれぞれ第１開口部１３および第２開口部１４を有する外箱本体７０と、外箱本体７０の第１開口部１３側の端部に設けられて、外箱本体７０を補強する補強部８０と、外箱本体７０の第２開口部１４側の端部に設けられたベース９０とを有している。第１開口部１３および第２開口部１４は、ドラム３０の回転軸３１の延在方向に交差する方向から見て、多角形状（この実施形態では一例として四角形状）を有している。
【００１５】
なお、第１開口部１３および第２開口部１４は、ドラム３０の回転軸３１の延在方向に交差する方向から見て、略多角形状であればよい。すなわち、第１開口部１３および第２開口部１４は、各角部の１つまたは複数が湾曲している多角形状であってもよいし、各角部の１つまたは複数が面取りされている多角形状であってもよい。
【００１６】
外箱本体７０は、図３に示すように、一例として略直方体状を有している。この外箱本体７０は、略矩形板状の４つの側壁部７１、７２、７３、７４で構成されており、前側の側壁部７１には、洗濯物投入口１２を構成する第３開口部７５が設けられている。
【００１７】
補強部８０は、図４に示すように、第１開口部１３の一辺部を構成する第１辺部１３１に沿って延びる第１補強部材８１と、この第１補強部材８１の延在方向の両端部に接続された第２補強部材８２および第３補強部材８３とを有している。第２補強部材８２は、第１辺部１３１の延在方向の一端部側（すなわち、図４の右端部側）に隣接する第２辺部１３２に沿って延びて第１補強部材８１の延在方向の一端部に接続されている。また、第３補強部材８３は、第１辺部１３１の延在方向の他端部側（すなわち、図４の左端側）に隣接する第３辺部１３３に沿って延びて第１補強部材８１の延在方向の他端部（すなわち、図４の左端部）に接続されている。
【００１８】
詳しくは、補強部８０は、第１補強部材８１と、相互に対向する第２補強部材８２および第３補強部材８３と、第１辺部１３１に対向する第４辺部１３４に沿って延びると共に両端部が第２補強部材８２および第３補強部材８３に接続された第４補強部材８４と、第１補強部材８１と第４補強部材８４とに接続された第１補強梁部材８５と、第１補強梁部材８５と第２補強部材８２とに接続された第２補強梁部材８６とで構成されている。すなわち、補強部８０は、第１開口部１３の各辺部１３１、１３２、１３３、１３４に沿った略四角形の枠形状を有している。
【００１９】
また、第１補強部材８１、第２補強部材８２、第１補強梁部材８５および第２補強梁部材８６で囲まれた第１領域１０１には、後述する制御装置６０が収容された基板ケース６１が配置されている。詳しくは、補強部８０の第１補強部材８１および第２補強部材８２で構成された角部に支持枠部８７が設けられており、この支持枠部８７に基板ケース６１が固定されている。なお、第１補強部材８１および第２補強部材８２で構成された角部には、基板ケース６１に加えて、ドラム式洗濯機１の電源をオンオフする機械式の電源スイッチ６７が設けられている。
【００２０】
さらに、第１補強部材８１、第３補強部材８３、第４補強部材８４および第１補強梁部材８５で囲まれた第２領域１０２には、後述する洗剤ケース４２が配置され、第２補強部材８２、第４補強部材８４、第１補強梁部材８５および第２補強梁部材８６で囲まれた第３領域１０３には、後述するフィルタケース５３が配置されている。
【００２１】
また、第２補強梁部材８６の第１補強梁部材８５側の端部には、２本の吊りばね２１の一端がそれぞれ接続されている一対の吊りばね接続部８６１、８６２が設けられている。各吊りばね接続部８６１、８６２は、第２補強梁部材８６の幅方向（すなわち、図４の上下方向）の両端にそれぞれ配置されている。なお、各吊りばね２１の他端は、それぞれ水槽２０に接続されている。すなわち、第２補強梁部材８６は、吊りばね２１を介して水槽２０を支持している。
【００２２】
ベース９０は、図３に示すように、ドラム３０の回転軸３１の延在方向に交差する方向から見て、外箱本体７０の第２開口部１４を覆う略四角形状を有している。ベース９０と外箱本体７０とは、一例としてアングル形状の４つの接続部材９１（図３では２つのみ示す）により接続されている。各接続部材９１は、ベース９０の各角部にそれぞれ配置されている。
【００２３】
なお、図３および図４では、外箱１０の化粧板を省略して示している。
【００２４】
また、外箱１０の内部には、水槽２０に給水可能な給水装置が設けられている。この給水装置は、図示しないホースを介して水道蛇口(水栓)に接続される給水口４１（図１に示す）と、この給水口４１と水槽２０とに接続された給水経路（図示せず）と、この給水経路に設けられた洗剤ケース４２（図１および図４に示す）および給水弁４３（図５に示す）とで構成されている。洗剤ケース４２は、洗剤または柔軟剤を収容可能であり、給水口４１から給水経路を通って洗剤ケース４２に流れ込んだ水道水が、洗剤ケース４２の洗剤または柔軟剤を含んだ後、水槽３に供給されるようになっている。
【００２５】
さらに、外箱１０の内部には、図２に示すように、ドラム３０の内部の空気をドラム３０の内部からドラム３０の外部を通ってドラム３０の内部に戻るように循環させる循環経路５０と、循環経路５０を流れる空気を加熱する加熱装置の一例のヒートポンプユニット５１と、循環経路５０に設けられて循環経路５０に空気の流れを形成する循環ファン５２と、循環経路５０に設けられたフィルタケース５３とが設けられている。フィルタケース５３の内部には、フィルタ５４が収容されている。
【００２６】
図２に示すように、水槽２０とフィルタケース５３とは、第１空気循環ダクト５５により接続され、フィルタケース５３とヒートポンプユニット５１とは、第２空気循環ダクト５６により接続され、ヒートポンプユニット５１と水槽２０とは、送風ダクト５７により接続されている。
【００２７】
また、送風ダクト５７のヒートポンプユニット５１側の端部に、循環ファン５２が配置されている。ヒートポンプユニット５１により加熱された加熱空気は、矢印Ｙで示すように循環ファン５２により送風ダクト５７に流れ、水槽２０の内部に供給される。水槽２０の内部に供給された加熱空気は、ドラム３０の内部の洗濯物３３から水分を奪って吸湿空気となり、矢印Ｚで示すように、循環ファン５２によりドラム３０の内部から第１空気循環ダクト２３、フィルタケース５３および第２空気循環ダクト５６を通って、ヒートポンプユニット５１に流れる。なお、フィルタケース５３では、内部に収容されたフィルタ５４によって流れ込んだ吸湿空気に含まれる糸くず等が捕獲されるようになっている。
【００２８】
図５に示すように、制御装置６０は、操作表示部１６、水位センサ６２、回転速度センサ６３、電圧センサ６４および加速度センサ６５から入力された信号に基づいて、操作表示部１６、給水弁４３、排水弁６６、メインモータ３２、ヒートポンプユニット５１および循環ファン５２を制御する。すなわち、制御装置６０は、駆動部の一例のメインモータ３２、給水装置を構成する給水弁４３、加熱装置の一例のヒートポンプユニット５１および循環ファン５２を制御する。
【００２９】
なお、水位センサ６２、回転速度センサ６３、電圧センサ６４、加速度センサ６５および排水弁６６の各々は、外箱１０の内部に配置されている、水位センサ６２は、水槽２０の内部の洗濯水の水位を検出する。回転速度センサ６３は、ドラム３０の回転速度を検出する。電圧センサ６４は、メインモータ３２の電圧を検出する。また、加速度センサ６５は、ドラム３０の回転軸３１に平行な方向の加速度およびドラム３０の回転軸３１に垂直な方向の加速度を検出する。
【００３０】
また、排水弁６６は、水槽２０と外箱１０の外部とに接続された排水経路（図示せず）に設けられており、排水弁６６を開放することで、水槽２０の内部の洗濯水が排水経路を通って外箱１０の外部に排水されるようになっている。
【００３１】
第１実施形態のドラム式洗濯機１では、外箱１０が、外箱本体７０の第１開口部１３側の端部に設けられて外箱本体７０を補強する補強部８０を有し、補強部８０が、第１開口部１３の一辺部を構成する第１辺部１３１に沿って延びる第１補強部材８１と、第１辺部１３１の一端側に隣接する第２辺部１３２に沿って延びて第１補強部材８１の延在方向の一端部に接続された第２補強部材８２と、第１辺部１３１の他端側に隣接する第３辺部１３３に沿って延びて第１補強部材８１の延在方向の他端部に接続された第３補強部材８３とを有している。この補強部８０により、外箱１０の歪みを防止できるドラム式洗濯機１を実現できる。
【００３２】
また、補強部８０が、第１開口部１３の各辺部１３１、１３２、１３３、１３４に沿った枠形状を有している。これにより、外箱１０の歪みをより確実に防止できるドラム式洗濯機１を実現できる。
【００３３】
また、補強部８０の第１補強部材８１および第２補強部材８２で構成された角部に、基板ケース６１が配置されている。これにより、補強部８０の強度を高めることができるので、外箱１０の歪みをより確実に防止できるドラム式洗濯機１を実現できる。
【００３４】
また、補強部８０が、第１補強部材８１と、相互に対向する第２補強部材８２および第３補強部材８３と、第１辺部１３１に対向する第４辺部１３４に沿って延びると共に両端部が第２補強部材８２および第３補強部材８３に接続された第４補強部材８４と、第１補強部材８１と第４補強部材８４とに接続された第１補強梁部材８５と、第１補強梁部材８５と第２補強部材８２とに接続された第２補強梁部材８６とで構成されている。これにより、外箱１０の歪みをより確実に防止できるドラム式洗濯機１を実現できる。
【００３５】
また、外箱１０が、外箱本体７０とベース９０とを接続する接続部材９１を有している。この接続部材９１により、外箱１０の歪みをより確実に防止できるドラム式洗濯機１を実現できる。
【００３６】
また、第２補強梁部材８６と水槽２０とに接続された吊りばね２１をさらに備え、第２補強梁部材８６が吊りばね２１を介して水槽２０を支持している。第２補強梁部材８６により水槽２０を支持できるので、設計の自由度の高いドラム式洗濯機１を実現できる。
【００３７】
（第２実施形態）
補強部８０は、第１開口部１３の一辺部を構成する第１辺部１３１に沿って延びる第１補強部材８１と、第１辺部３１１の延在方向の一端部側に隣接する第２辺部１３２に沿って延びて第１補強部材８１の延在方向の一端部に接続された第２補強部材８２と、第１辺部１３１の延在方向の他端部側に隣接する第３辺部１３３に沿って延びて第１補強部材８１の延在方向の他端部に接続された第３補強部材８３とで構成されていればよく、第１実施形態の補強部８０に限らない。すなわち、補強部８０は、第１開口部１３の各辺部１３１、１３２、１３３、１３４に沿った枠形状である場合に限らない。
【００３８】
なお、この場合、第２補強部材８２は、第２辺部１３２の一部に延在していればよく、第３補強部材８３は、第３辺部１３３の一部に延在していればよい。
【００３９】
また、第１補強部材８１、第２補強部材８２および第３補強部材８３のいずれか２つを接続する補強梁部材を設けてもよい。補強梁部材により、補強部８０の強度を高めることができるので、外箱１０の歪みをより確実に防止できるドラム式洗濯機１を実現できる。
【００４０】
（第３実施形態）
補強部８０の第１補強梁部材８５および第２補強梁部材８６は、ドラム式洗濯機１の設計等に応じて省略することができる。
【００４１】
（第４実施形態）
補強部８０の第１補強部材８１、第２補強部材８２、第３補強部材８３、第４補強部材８４、第１補強梁部材８５および第２補強梁部材８６の各々は、例えば、ＡＢＳ樹脂（アクリロニトリル、ブタジエン、スチレン共重合合成樹脂）あるいはＰＰ（ポリプロピレン）等の熱可塑性樹脂で構成することができる。このように、補強部８０を熱可塑性樹脂で構成することで、補強部８０を鋼板で構成した場合と比べて反りあるいはねじれ等による変形が少なくなり、寸法安定性を高めることができる。
【００４２】
（第５実施形態）
基板ケース６１は、第１領域１０１の補強部８０の第１補強部材８１および第２補強部材８２で構成された角部に配置する場合に限らず、ドラム式洗濯機１の設計等に応じて、外箱１０の内部の任意の位置に配置することができる。
【００４３】
（第６実施形態）
外箱本体７０とベース９０とを接続する接続部材９１は、ドラム式洗濯機１の設計等に応じて省略することができる。
【００４４】
以上、図面を参照して本発明における種々の実施形態を詳細に説明したが、最後に、本発明の種々の態様について説明する。
【００４５】
本発明の一実施形態のドラム式洗濯機１は、
洗濯物投入口１２が設けられた開口面１１を有する外箱１０と、
上記外箱１０の内部に配置されて、上記外箱１０に揺動可能に支持された水槽２０と、
上記水槽２０の内部に設けられかつ上記開口面１１に対して交差する方向に延びる回転軸３１周りに回転可能に配置されていると共に、上記洗濯物投入口１２を介して内部に洗濯物３３を収容するドラム３０と、
上記ドラム３０を駆動する駆動部３２と
を備え、
上記外箱１０が、
鉛直方向の両端にそれぞれ第１開口部１３および第２開口部１４を有し、鉛直方向に交差する方向から見て多角形状を有する外箱本体７０と、
上記外箱本体７０の第１開口部１３側の端部に設けられて、上記外箱本体７０を補強する補強部８０と、
上記外箱本体７０の第２開口部１４側の端部に設けられたベース９０と
を有し、
上記補強部８０が、
上記第１開口部１３の一辺部を構成する第１辺部１３１に沿って延びる第１補強部材８１と、
上記第１辺部１３１の延在方向の一端部側に隣接する第２辺部１３２に沿って延びて上記第１補強部材８１の延在方向の一端部に接続された第２補強部材８２と、
上記第１辺部１３１の延在方向の他端部側に隣接する第３辺部１３３に沿って延びて上記第１補強部材８１の延在方向の他端部に接続された第３補強部材８３と
を有する。
【００４６】
上記実施形態のドラム式洗濯機１によれば、外箱１０が、外箱本体７０の第１開口部１３側の端部に設けられて外箱本体７０を補強する補強部８０を有し、補強部８０が、第１開口部１３の一辺部を構成する第１辺部１３１に沿って延びる第１補強部材８１と、第１辺部１３１の一端側に隣接する第２辺部１３２に沿って延びて第１補強部材８１の延在方向の一端部に接続された第２補強部材８２と、第１辺部１３１の他端側に隣接する第３辺部１３３に沿って延びて第１補強部材８１の延在方向の他端部に接続された第３補強部材８３とを有している。この補強部８０により、外箱１０の歪みを防止できるドラム式洗濯機１を実現できる。
【００４７】
本発明の一実施形態のドラム式洗濯機１は、
上記補強部８０が、上記第１開口部１３の各辺部１３１、１３２、１３３、１３４に沿った枠形状を有する。
【００４８】
上記実施形態のドラム式洗濯機１によれば、補強部８０が枠形状を有しているので、外箱１０の歪みをより確実に防止できるドラム式洗濯機１を実現できる。
【００４９】
本発明の一実施形態のドラム式洗濯機１は、
上記補強部８０が、上記第１補強部材８１、上記第２補強部材８２および上記第３補強部材８３のいずれか２つを接続する補強梁部材８５、８６を有する。
【００５０】
上記実施形態のドラム式洗濯機１によれば、補強梁部材８５、８６により、補強部８０の強度を高めることができるので、外箱１０の歪みをより確実に防止できるドラム式洗濯機１を実現できる。
【００５１】
本発明の一実施形態のドラム式洗濯機１は、
上記補強梁部材８６と上記水槽２０とに接続された吊りばね２１をさらに備え、
上記補強梁部材８６が上記吊りばね２１を介して上記水槽２０を支持している。
【００５２】
上記実施形態のドラム式洗濯機１によれば、補強梁部材８６により水槽２０を支持できるので、設計の自由度の高いドラム式洗濯機１を実現できる。
【００５３】
本発明の一実施形態のドラム式洗濯機１は、
上記補強部８０が、樹脂で構成されている。
【００５４】
上記実施形態のドラム式洗濯機１によれば、補強部８０を熱可塑性樹脂で構成することで、補強部８０を鋼板で構成した場合と比べて反りあるいはねじれ等による変形が少なくなり、寸法安定性を高めることができる。また、トランス、センサ、スピーカーおよびリード線（図示せず）等の部品の取り付けが容易になり、さらに、リード線の配線にも補強部８０を鋼板で構成していた時におこなっていた鋼板のエッジ対策を施さなくてもよくなる。
【００５５】
本発明の一実施形態のドラム式洗濯機１は、
上記駆動部３２を制御する制御装置６０と、
上記制御装置６０を収容する基板ケース６１と
をさらに備え、
上記補強部８０の上記第１補強部材８１および上記第２補強部材８２で構成された角部に、上記基板ケース６１が配置されている。
【００５６】
上記実施形態のドラム式洗濯機１によれば、補強部８０の第１補強部材８１および第２補強部材８２で構成された角部に、基板ケース６１が配置されているので、補強部８０の強度を高めることができて、外箱１０の歪みをより確実に防止できるドラム式洗濯機１を実現できる。
【００５７】
本発明の一実施形態のドラム式洗濯機１は、
洗剤を投入可能な洗剤ケース４２を有し、上記水槽２０に上記洗剤ケース４２を介して給水可能な給水装置４１、４２、４３と、
上記ドラム３０の内部の空気を上記ドラム３０の内部から上記ドラム３０の外部を通って上記ドラム３０の内部に戻るように循環させる循環経路５０と、
上記循環経路５０を流れる空気を加熱する加熱装置５１と、
上記循環経路５０に設けられて上記循環経路５０に空気の流れを形成する循環ファン５２と、
上記循環経路５０に設けられたフィルタケース５３と、
上記駆動部３２、上記給水装置４１、４２、４３、上記加熱装置５１および上記循環ファン５２を制御する制御装置６０と、
上記制御装置６０を収容する基板ケース６１と、
上記補強部８０と上記水槽２０とに接続された吊りばね２１と
をさらに備え、
上記第１開口部１３が四角形状であり、
上記補強部８０が、
上記第１補強部材８１と、
相互に対向する上記第２補強部材８２および上記第３補強部材８３と、
上記第１辺部１３１に対向する第４辺部１３４に沿って延びると共に両端部が上記第２補強部材８２および上記第３補強部材８３に接続された第４補強部材８４と、
上記第１補強部材８１と上記第４補強部材８４とに接続された第１補強梁部材８５と、
上記第１補強梁部材８５と上記第２補強部材８２とに接続された第２補強梁部材８６と
で構成され、
上記第１補強部材８１、上記第２補強部材８２、上記第１補強梁部材８５および上記第２補強梁部材８６で囲まれた第１領域１０１に上記基板ケース６１が配置され、
上記第１補強部材８１、上記第３補強部材８３、上記第４補強部材８４および上記第１補強梁部材８６で囲まれた第２領域１０２に上記洗剤ケース４２が配置され、
上記第２補強部材８２、上記第４補強部材８４、上記第１補強梁部材８５および上記第２補強梁部材８６で囲まれた第３領域１０３に上記フィルタケース５３が配置されており、
上記第２補強梁部材８６の第１補強梁部材８５側の端部に上記吊りばね２１の一端が接続され、上記水槽２０に上記吊りばね２１の他端が接続されて、上記第２補強梁部材８６が上記吊りばね２１を介して上記水槽２０を支持している。
【００５８】
上記実施形態のドラム式洗濯機１によれば、補強部８０により、外箱１０の歪みをより確実に防止できるドラム式洗濯機１を実現できる。
【００５９】
本発明の一実施形態のドラム式洗濯機１は、
上記外箱１０が、上記外箱本体７０と上記ベース９０とを接続する接続部材９１を有する。
【００６０】
上記実施形態のドラム式洗濯機１によれば、接続部材９１により、外箱１０の歪みをより確実に防止できるドラム式洗濯機１を実現できる。
【００６１】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００６２】
１  ドラム式洗濯機
１０  外箱
１１  開口面
１２  洗濯物投入口
１３  第１開口部
１３１  第１辺部
１３２  第２辺部
１３３  第３辺部
１３４  第４辺部
１４  第２開口部
２０  水槽
２１  吊りばね
３０  ドラム
３１  回転軸
３２  メインモータ
３３  洗濯物
４１  給水口
４２  洗剤ケース
４３  給水弁
５０  循環経路
５１  ヒートポンプユニット
５２  循環ファン
５３  フィルタケース
５４  フィルタ
５５  第１空気循環ダクト
５６  第２空気循環ダクト
５７  送風ダクト
６０  制御装置
６１  基板ケース
６２  水位センサ
６３  回転速度センサ
６４  電圧センサ
６５  加速度センサ
６６  排水弁
６７  電源スイッチ
７０  外箱本体
７１、７２、７３、７４  側壁部
７５  第３開口部
８０  補強部
８１  第１補強部材
８２  第２補強部材
８３  第３補強部材
８４  第４補強部材
８５  第１補強梁部材
８６  第２補強梁部材
８６１、８６２  吊りばね接続部
８７  支持枠部
９０  ベース
９１  接続部材
１０１  第１領域
１０２  第２領域
１０３  第３領域
【図１】
2019043971.tif 000003
【図２】
2019043971.tif 000004
【図３】
2019043971.tif 000005
【図４】
2019043971.tif 000006
【図５】
2019043971.tif 000007
【国際調査報告】
2019043971.tif 000008
2019043971.tif 000009
2019043971.tif 000010
2019043971.tif 000011